(57)【特許請求の範囲】
【請求項１】
ウエスト周りが前身頃（１１）側ウエスト部と後ろ見頃（１２）側ウエスト部で構成され、前身頃（１１）側ウエスト部を後ろ見頃（１２）側ウエスト部に伸縮体（３１）を介して連結することにより前記ウエスト周りを伸縮可能にした下半身用衣服において、前記前身頃（１１）側ウエスト部と後ろ見頃（１２）側ウエスト部との間に跨るようにポケット袋（４０）を設け、前記ポケット袋（４０）の前記前身頃（１１）側ウエスト部との固定位置と、前記ポケット袋（４０）の前記後ろ見頃（１２）側ウエスト部との固定位置の間に伸縮自在な布部材を配設し、
前記ポケット袋（４０）は、身体側の布部材（４２）と、前記身体側から見て外側の布部材（４３）とを有するとともに、それらが重ねられ、それらの上方に開口した開口部とポケット入口（４１）を除く周囲が縫着されて袋状に構成され、前記伸縮自在な布部材を身体側の布部材（４２）に設け、
前記身体側の布部材（４２）は、その上端部分の前端部が前記前身頃（１１）側ウエスト部分に逢着された前ベルト（２１）と逢着されているとともに、その上端部分の後端部が後見頃（１２）側ウエスト部分に逢着された後ろベルト（２２）と縫着され、更に、ウエスト周りが伸長した場合にも見えないように、ポケット入口（４１）から前方側に所定の前後幅（Ｃ）で上下方向に亘って下半身用衣服布地と同一の布地（４４）が身体側の布部材（４２）を外側から覆うように配設されているとともに、この身体側の布部材（４２）の前記上端部分の前端部と後端部との中間部に前記同一の布地（４４）の前端部が逢着されることにより、この身体側の布部材（４２）が前記前ベルト（２１）との逢着位置（Ａ）である前記上端部分の前端部と、前記同一の布地（４４）との縫着位置（Ｄ）である前記中間部との間隔間（Ｅ）で伸縮するように構成されていることを特徴とする下半身用衣服。
【請求項２】
前記伸縮自在な布部材は、所定幅で前記ウエスト周りの方向に配設したことを特徴とする請求項１記載の下半身用衣服。
【請求項３】
前記伸縮自在な布部材は、所定幅で前記ウエスト周りとは直交する方向に設けられたことを特徴とする請求項１または２記載の下半身用衣服。
【請求項４】
前記伸縮自在な布部材を前記身体側の布部材（４２）と外側の布部材（４３）とにそれぞれ設けたことを特徴とする請求項１〜３の何れかに記載の下半身用衣服。
【請求項５】
前記伸縮自在な布部材として、伸縮性の編地を用いたことを特徴とする請求項１〜４の何れかに記載の下半身用衣服。
【請求項６】
前記伸縮自在な布部材として、メッシュ地を用いたことを特徴とする請求項１〜５の何れかに記載の下半身用衣服。
【請求項７】
前記伸縮自在な布部材として、バイアス地を用いたことを特徴とする請求項１〜６の何れかに記載の下半身用衣服。
【請求項８】
前記伸縮自在な布部材には、伸縮性を有する糸が用いられていることを特徴とする請求項１〜７の何れかに記載の下半身用衣服。
【発明の詳細な説明】
【０００１】
【発明の属する技術分野】
本発明は、ウエスト周りで締め付けて着用するスボンやスカートなどの下半身用衣服のウエスト伸縮構造に関する。
【０００２】
【従来の技術】
体が太った場合には、従前から楽に着用していたズボンであってもウエスト周りがきつくなったり、逆に、体が痩せた場合には、ズボンのウエスト周りがだぶついてズボンが不格好になったりする。これを解決するものとして、図７および図８に示すようなウエスト伸縮構造５０を有したズボンがある。
【０００３】
図７は従来のズボンのウエスト部分を内側から見た図、図８は図７のウエスト部分が伸長した状態を示す図である。図７および図８に示すように、このズボンの両脇部分にはポケット入口５１がそれぞれ設けられている。このポケット入口５１の下端位置５１ａから上下方向の境界線Ｗで前身頃５２と後ろ見頃５３が縫着されている。前身頃５２側のウエスト部分に前ベルト５４が縫着されている。また、後ろ見頃５３側のウエスト部分に後ろベルト５５が縫着されている。これらの前ベルト５４および後ろベルト５５によりウエスト周りが構成されている。
【０００４】
ウエスト伸縮構造５０は、前ベルト５４を後ろベルト５５に伸縮自在な弾性帯５６を介して連結することで、ウエスト周りを伸縮可能にしている。前ベルト５４の一端部には延長帯５７の一端部が縫着されている。また、前ベルト５４側の後ろベルト５５の端部には袋状部５８がそれぞれ設けられている。この袋状部５８は、前ベルト５４側に対向するように開口した内部が袋状に構成されている。延長帯５７の他端側は袋状部５８の開口から袋内部に挿入されている。袋状部５８内において、延長帯５７の他端が弾性帯５６の一端に縫着され、弾性帯５６の他端が袋状部５８内の底部に縫着されている。
【０００５】
ポケット袋５９は、ズボンの両脇部のポケット入口５１から内側前方にそれぞれ設けられている。このポケット袋５９は、身体側布５９１と身体側から見て外側の外側布５９２とで袋状に構成されている。その身体側布５９１は、ポケット入口５１側で後ろ身頃５３側と縫着され、一部上端部分５９１ａが後ろベルト５５に縫着されている。この一部上端部分５９１ａに縫着された後ろベルト５５は前ベルト５４と重複している部分である。また、外側布５９２の上端部分は、身体側布５９１の一部上端部分５９１ｂと共に前ベルト５４側に縫着されている。この一部上端部分５９１ｂと一部上端部分５９１ａとの間の身体側布５９１には、ウエスト周りの所定の伸長量を確保するための切欠き部６０を設けている。
【０００６】
以上より、ユーザの体が太った場合、ユーザがズボンを履くと、ズボンのウエスト周りが広がって、前ベルト５４に逢着された延長帯５７が、後ろベルト５５に設けられた袋状部５８の開口から例えば図８に示す長さＬ１だけ引き出される。弾性帯５６は図７に示す長さＬ２から図８に示す長さＬ３に伸長している。
【０００７】
このとき、ポケット袋５９が前ベルト５４と後ろベルト５５との間で引っ張られても、上記した切欠き部６０が開くことによってウエスト周りを容易に伸長させることができるようになっている。
【０００８】
【発明が解決しようとする課題】
ところが、上記従来の構成では、切欠き部６０に解れが生じるのを防止のために、身体側布５９１の上端縁部を切欠き部６０に沿って複雑に縫製処理する縫製処理部６１が必要であってその縫製処理に手間がかかる。
【０００９】
また、この切欠き部６０を用いない場合には、身体側布５９１の上端部を多少弛ませた余裕部を設けてウエスト周りの伸長を可能にすることも考えられる。このような余裕部を設けた場合、ウエスト周り伸長時に、ポケット袋５９が前ベルト５４と後ろベルト５５との間で引っ張られても、弛ませた余裕部を引き延ばすことによってウエスト周りを伸長させることができる。ところが、余裕部の余裕量が少ない場合には、ウエスト周りの伸長量が充分に取れない。ウエスト周りの伸長量を充分に取るためには、ポケット袋５９の上端部の弛ませた部分を大きく取る必要があり、これが大きくなるとポケット袋５９の上端部が皺になる。この皺が、前ベルト５４と後ろベルト５５との間で膨れてスタイル的に良好でなかったり、その皺によってポケットに手を入れたときに引っかかったりする。
【００１０】
本発明は、上記事情に鑑みて為されたもので、ウエスト周り伸長のための新たな縫製処理を必要とせず、ポケット袋によってウエスト周りの伸長が規制されるのを防止して所定の伸長量を良好に確保することができる下半身用衣服を提供することを目的とする。
【００１１】
【課題を解決するための手段】
本発明の下半身用衣服は、ウエスト周りが前身頃側ウエスト部と後ろ見頃側ウエスト部で構成され、前身頃側ウエスト部を後ろ見頃側ウエスト部に伸縮体を介して連結することにより前記ウエスト周りを伸縮可能にした下半身用衣服において、前記前身頃側ウエスト部と後ろ見頃側ウエスト部との間に跨るようにポケット袋を設け、前記ポケット袋の前記前身頃側ウエスト部との固定位置と、前記ポケット袋の前記後ろ見頃側ウエスト部との固定位置の間に伸縮自在な布部材を配設し、前記ポケット袋は、身体側の布部材と、前記身体側から見て外側の布部材とを有するとともに、それらが重ねられ、それらの上方に開口した開口部とポケット入口を除く周囲が縫着されて袋状に構成され、前記伸縮自在な布部材を身体側の布部材に設け、前記身体側の布部材は、その上端部分の前端部が前記前身頃側ウエスト部分に逢着された前ベルトと逢着されているとともに、その上端部分の後端部が後見頃側ウエスト部分に逢着された後ろベルトと縫着され、更に、ウエスト周りが伸長した場合にも見えないように、ポケット入口から前方側に所定の前後幅で上下方向に亘って下半身用衣服布地と同一の布地が身体側の布部材を外側から覆うように配設されているとともに、この身体側の布部材の前記上端部分の前端部と後端部との中間部に前記同一の布地の前端部が逢着されることにより、この身体側の布部材が前記前ベルトとの逢着位置である前記上端部分の前端部と、前記同一の布地との縫着位置である前記中間部との間隔間で伸縮するように構成されていることを特徴とするものである。なお、この場合は、身体側の布部材が全て伸縮自在な布部材である場合を含んでいる。
【００１２】
この構成により、下半身用衣服のウエスト周りが大きくなる場合には、前身頃側ウエスト部と後ろ見頃側ウエスト部との間の伸縮体が伸びて、ウエスト周りが広がる。このとき、ポケット袋が、前身頃側ウエスト部との固定位置と、後ろ見頃側ウエスト部との固定位置の間で引っ張られても、ポケット袋の伸縮自在な布部材が伸長するので、ウエスト周りの伸長がポケット袋で規制されるのが防止されてウエスト周りの所定の伸長量が確保される。これによって、従来のような切欠き部を設ける必要はなくなるので、切欠き部に沿った新たな縫製処理は不必要となる。また、従来の切欠き部に代えて上記したような弛ませた余裕部を設ける必要もないので、ポケット袋の上端部の上記余裕部による皺や膨れを回避することも可能となる。
【００１３】
また、好ましくは、本発明の下半身用衣服において、伸縮自在な布部材は、所定幅でウエスト周り方向に配設している。なお、この場合の所定幅方向は、ウエスト周り方向に直交する方向（上下方向）である。
【００１４】
この構成により、伸縮自在な布部材と伸縮し難い布部材とが長尺方向に並設された布地があるが、これをポケット袋に用いると縫製の手間も少なくなる。また、上記伸縮し難い布部材としてポケット袋の底部分にきめの細かい織物を用いれば、ポケット袋から細かいものが落下しにくい。さらに、コストが比較的高い伸縮自在な布部材が所定幅でウエスト周り方向に設けられていれば、ポケット袋を全て伸縮自在な布部材で構成する場合に比べてコストを抑えることが可能となる。
【００１５】
さらに、好ましくは、本発明の下半身用衣服において、伸縮自在な布部材は、所定幅でウエスト周りとは直交する方向に設けられている。なお、この場合の所定幅方向は、ウエスト周り方向（左右方向）である。
【００１６】
この構成により、伸縮自在な布部材が、最低限、前ウエストベルトとの固定位置と後ろウエストベルトとの固定位置間の所定幅に設けられていればよく、ポケット袋によるウエスト周りの伸長規制が防止されて所定の伸長量が確保され得ることになる。
【００１９】
さらに、好ましくは、本発明の下半身用衣服におけるポケット袋は、身体側の布部材と身体側から見て外側の布部材とを有し、伸縮自在な布部材を身体側の布部材と外側の布部材とにそれぞれ設けている。なお、この場合は、身体側の布部材および外側の布部材が全て伸縮自在な布部材である場合を含んでいる。
【００２０】
この構成により、ポケット袋を身体側の布部材および外側の布部材共に同種類の布地で構成することができ、縫製量が少なくポケット袋が容易に製作され得る。
【００２１】
さらに、好ましくは、本発明の下半身用衣服において、伸縮自在な布部材として、伸縮性の編地（編み物の布地）を用いている。
【００２２】
この構成により、伸縮自在な布部材が編地であれば、必要な伸縮量が容易に得られる。
【００２３】
さらに、好ましくは、本発明の下半身用衣服において、伸縮自在な布部材として、メッシュ地を用いている。
【００２４】
この構成により、伸縮自在な布部材が編み目の粗いメッシュ地であれば、必要な伸縮量は、単なる編み物に比べても更に容易に得られる。
【００２５】
さらに、好ましくは、本発明の下半身用衣服において、伸縮自在な布部材として、バイアス地を用いている。この場合、伸縮自在な布部材は編み物または／および織物の布地からバイアス方向に裁断されている。
【００２６】
この構成により、伸縮自在な布部材がバイアス方向に用いられていれば、必要な伸縮量は、上記の場合に比べても更に容易に得られる。
【００２７】
さらに、好ましくは、本発明の下半身用衣服における伸縮自在な布部材は織物で構成されると共に伸縮方向がバイアス方向になるように用いられている。
【００２８】
この構成により、通常、縦糸と横糸で織られた織物には伸縮性が乏しく、容易に必要な伸縮量が得られないが、これをバイアス方向に用いればその方向には伸縮性が生じて、必要な伸縮量が得られる。
【００２９】
さらに、好ましくは、本発明の下半身用衣服における伸縮自在な布部材が、伸縮性を有する糸が用いられている。例えば、伸縮自在な布部材が伸縮性を有する糸で編まれたり織られたりしていてもよい。
【００３０】
この構成により、伸縮性を有する糸を用いることで、必要な伸縮量が得られる。
【００３１】
【発明の実施の形態】
以下、本発明に係る下半身用衣服のウエスト伸縮構造の実施形態について図面を参照して説明する。
【００３２】
図１は本発明の一実施形態に係るズボンの右脇のウエスト部分を示す外観図、図２は図１のウエスト部分を伸長した状態を示す外観図である。図１および図２において、下半身用衣服としてのズボン１は、前身頃１１と後見頃１２よりなるズボン本体１０と、前身頃１１側の前ベルト２１と後見頃１２側の後ろベルト２２によりウエスト周りを構成するウエストベルト２０と、前ベルト２１と後ろベルト２２間を、伸縮体としての弾性帯３１を介して伸縮可能に構成したウエスト伸縮構造３０と、ズボン両脇部分にポケット入口４１が設けられ、このポケット入口４１から外部に開口しているポケット袋４０とを有している。
【００３３】
ウエストベルト２０は、前身頃１１側のウエスト部分に縫着された布製の前ベルト２１および、後見頃１２側のウエスト部分に縫着された布製の後ろベルト２２からなり、前身頃１１側の前ベルト２１と後見頃１２側の後ろベルト２２とは、弾性帯３１を介してウエスト周りが拡張または縮小可能なようになっている。
【００３４】
ウエスト伸縮構造３０は、ズボン１の両脇部にそれぞれ対応した後ろベルト２２の端部にそれぞれ設けられている。そのウエスト伸縮構造３０は、伸縮自在なゴムで編まれた弾性帯３１と、後ベルト２２の端部が前ベルト２１の端部側に開口する長尺の袋状に構成され、弾性帯３１の一端が袋底部に縫着された袋状部３２と、一端が前ベルト２１の端部に縫着され、その他端から袋状部３２内に挿入されて弾性帯３１の他端に縫着された延長帯３３とを有している。
【００３５】
ポケット袋４０は、ズボン両脇部分にそれぞれ縦方向に開口するポケット入口４１から前身頃１１側のズボン布地の内側に袋状に設けられている。ポケット袋４０は、上方に開口した上端側から下方途中まで縦方向にも開口されており、その開口部がポケット入口４１に対応するように縫着されている。つまり、ポケット袋４０の身体側の布部材は、ポケット入口４１の内側を構成している後身頃１２側に逢着され、ポケット袋４０の外側の布部材はポケット入口４１の外側を構成している前見頃１１に縫着され、ポケット入口４１からポケット袋４０の内部に連通している。ポケット袋４０の身体側の布部材は、図２に示すように、ウエスト周りが伸長した場合にも見えないようにするために、所定幅Ｃで上下方向に亘ってズボン布地と同一の布地４４が身体側の布部材を外側から覆うように縫着されている。ポケット袋４０やウエスト部分の内側の詳細については、ズボン内側から見た図３および図４を用いて更に説明する。
【００３６】
図３は図１のウエスト部分をズボン内側から見た図、図４は図３のウエスト部分が伸長した状態を示す図である。図３および図４に示すように、前ベルト２１の内側には、前ベルト２１よりも若干幅広の前腰裏布２３が前ベルト２１の長手方向に亘って縫着されている。また、後ろベルト２２の内側には、後ろベルト２２よりも若干幅広の後ろ腰裏布２４が後ろベルト２２の長手方向に亘って縫着されている。これらの前腰裏布２３と後ろ腰裏布２４との間には弾性帯２５が縫着されてウエストベルト２０の内側のウエスト周りを構成している。この弾性帯２５は、前ベルト２１の内側に伸縮自在に配設されている。
【００３７】
ポケット袋４０は、身体側の布部材４２と、身体側から見て外側の布部材４３とが重ねられ、それらの上方の開口部とポケット入口４１を除く周囲が縫着されて袋状に構成されている。この身体側の布部材４２はポケット入口４１近傍の後身頃１２と共に逢着され、身体側の布部材４２の上端部分は前ベルト２１と前腰裏布２３との内側に挟まるように配設されている。身体側および外側の布部材４２，４３の上端部分は、前ベルト２１および前腰裏布２３と逢着位置Ａで縫着されている。また、身体側の布部材４２の上端部分は、後ろベルト２２および後ろ腰裏布２４と逢着位置Ｂで縫着されている。さらに、外側の布部材４３の上端部分は、ポケット入口４１の上側の前ベルト２１と所定の逢着位置で縫着されている。この身体側の布部材４２は伸縮自在な布部材で構成され、外側の布部材４３は通常のポケット袋用の織物地で構成している。
【００３８】
また、ポケット袋４０は、ポケット入口４１側の所定幅Ｃで上下方向に亘る範囲に外側のズボン布地と同一の図２に示す布地４４がポケット袋４０の内部に配設されて身体側の布部材４２と共に逢着位置Ｄで縫着されている。このため、上記逢着位置Ａと逢着位置Ｄとの間隔間Ｅで身体側の布部材４２が伸縮するようになっている。その伸縮自在な身体側の布部材４２としては、編み方に伸縮性を有するメッシュ地を採用している。
【００３９】
上記構成により、以下その作用を説明する。まず、ユーザの体が太った場合には、ウエストベルト２０のウエスト周りが伸長する。このとき、前ベルト２１と後ろベルト２２との間で例えば図４に示す長さＬ１だけウエスト周りが広がれば、弾性帯３１は図３に示す長さＬ２から図４に示す長さＬ３に伸長している。このとき、身体側の布部材４２が上記逢着位置Ａと逢着位置Ｄの間で引っ張られても、身体側の布部材４２が伸びるため、その太った体型に相当するウエスト周りに容易に拡張することになる。
【００４０】
また、ユーザの体が痩せた場合には、ウエストベルト２０のウエスト周りが縮小する。このとき、前ベルト２１と後ろベルト２２との間で例えば図４に示す長さＬ１から図３に示す長さＬ０（隙間が略０）に収縮すれば、弾性帯３１は図４に示す長さＬ３から図３に示す長さＬ２に収縮する。このとき、身体側の布部材４２の逢着位置Ａと逢着位置Ｄとの間において緩くなっても、身体側の布部材４２が縮小するため、だぶつくことなくその痩せた体型に相当するウエスト周りになる。
【００４１】
以上のように、ポケット袋４０が前ベルト２１と後ろベルト２２との間で引っ張られたり弛んだりしても、ポケット袋４０が伸縮するため、ポケット袋４０によるウエスト周りの伸長規制が防止されて所定の伸長量を確保することができる。これによって、従来のような切欠き部をポケット袋に設ける必要はなくなるため、切欠き部に沿った新たな縫製処理を不必要とすることができる。また、従来の切欠き部に代えて課題で記載したような余裕部を設ける必要もないため、ポケット袋の上端部の余裕部による皺や膨れを回避することもできる。
【００４２】
また、伸縮作用が不必要な外側の布部材４３については、伸縮自在な身体側の布部材４２のような特殊な布部材を用いずに、一般的なポケット袋用の布地を用いることができて、コスト的にも有利である。
【００４３】
さらに、伸縮自在な身体側の布部材４２が編み物の場合には、必要な伸縮量（例えば両脇部のうち片側３ｃｍ、両側で６ｃｍなど）を容易に得ることができる。また、身体側の布部材４２に編み目の粗いメッシュ地を用いると、必要な伸縮量を、上記編み物に比べても更に容易に得ることができる。
【００４４】
なお、本発明は、本実施形態に代えて以下のような各種構成を採用することができるものである。
【００４５】
（１）本実施形態では、伸縮自在な布部材としてメッシュ地よりなる身体側の布部材４２を全面に設けたが、図５に示すように逢着位置Ａと逢着位置Ｄとの間隔Ｅの所定幅で、または間隔Ｅ以下の所定幅でウエスト周り方向に伸縮自在な布部材（例えばメッシュ地の編み物）を上下方向に設けるようにしてもよい。
【００４６】
（２）本実施形態では、伸縮自在な布部材としてメッシュ地よりなる身体側の布部材４２を全面に設けたが、図６に示すように所定幅Ｆでウエスト周り方向（左右方向）に伸縮自在な布部材（例えばメッシュ地の編み物）を設けるようにしてもよい。
【００４７】
（３）本実施形態では、身体側の布部材４２をメッシュ地よりなる伸縮自在な布部材に構成したが、身体側の布部材４２に加えて、身体側から見て外側の布部材４３をも例えばメッシュ地などよりなる伸縮自在な布部材に構成してもよい。
【００４８】
（４）本実施形態では、身体側の布部材４２を編み方に伸縮性を有するメッシュ地に構成したが、身体側の布部材４２を織物の布地で構成してもよい。織物の場合には伸縮量が少ないため、織物の布地をバイアス方向に裁断して用いることで伸縮量をある程度得ることができるものである。また、伸縮性を有する編み方にメッシュ地をバイアス方向に裁断して用いることで更なる伸縮量を得ることができる。さらに、織物および編み物共に、伸縮性を有する糸を用いた布地を身体側の布部材４２として用いれば、所定の伸縮量を得ることができるものである。
【００４９】
（５）本実施形態では、伸縮体として、ゴムで編んだ弾性帯３１を用いたが、これに限らず、弾性帯３１を介さずに長尺の延長帯３３を前ベルト２１と後ろベルト２２との間に連結し、その延長帯３３を留め金具などで延長帯３３の長さを調整するように延長帯３３を挟んで留める構成とすることもできる。この場合にも、ポケット袋４０が、前ベルト２１側との固定位置と、後ろベルト２２側の固定位置の間で引っ張られても、ポケット袋４０の伸縮自在な布部材が伸長してウエスト周りの所定の伸長量を確保することができる。
【００５０】
【発明の効果】
以上のように請求項１によれば、下半身用衣服のウエスト周りが大きくなる場合には、前身頃側ウエスト部と後ろ見頃側ウエスト部との間の伸縮体が伸びて、ウエスト周りが広がる。このとき、ポケット袋が、前身頃側ウエスト部との固定位置と、後ろ見頃側ウエスト部との固定位置の間で引っ張られても、ポケット袋の伸縮自在な布部材が伸長するため、ウエスト周りの伸長がポケット袋で規制されるのを防止してウエスト周りの所定の伸長量を確保することができる。これによって、従来のような切欠き部を設ける必要はなくなるため、切欠き部に沿った新たな縫製処理を不必要とすることができる。また、従来の切欠き部に代えて上記したような弛ませた余裕部を設ける必要もないため、ポケット袋の上端部の上記余裕部による皺や膨れを回避することができる。
【００５１】
また、請求項２によれば、伸縮自在な布部材と伸縮し難い布部材とが長尺方向に並設された布地が市場に存在するが、これをポケット袋として用いることができて、縫製の手間を少なくすることができる。また、上記伸縮し難い布部材としてポケット袋の底部分にきめの細かい布地を用いれば、ポケット袋から細かいものが落下しにくい。さらに、コストが比較的高い伸縮自在な布部材が所定幅でウエスト周り方向に設けられていれば、ポケット袋を全て伸縮自在な布部材で構成する場合に比べてコストを抑えることができる。
【００５２】
さらに、請求項３によれば、伸縮自在な布部材が、最低限、前ウエストベルトとの固定位置と後ろウエストベルトとの固定位置間の所定幅に設けられていれば、ポケット袋によるウエスト周りの伸長規制が防止されて所定の必要な伸長量を確保することができる。
【００５３】
さらに、請求項４によれば、伸縮が不必要な外側の布部材については、特殊な伸縮自在な布部材以外の一般的なポケット袋用の布地を用いることができて、コスト的にも有利である。
【００５４】
さらに、請求項５によれば、ポケット袋を身体側の布部材および外側の布部材共に同種類の布地で構成することができて、縫製処理が少なくて済みポケット袋を容易に製作することができる。
【００５５】
さらに、請求項６によれば、伸縮自在な布部材に編地を用いると、必要な伸縮量を容易に得ることができる。
【００５６】
さらに、請求項７によれば、伸縮自在な布部材に編み目の粗いメッシュ地を用いると、必要な伸縮量を、単なる編み物に比べても更に容易に得ることができる。
【００５７】
さらに、請求項８によれば、伸縮自在な布部材にバイアス地を用いると、必要な伸縮量を、上記の場合に比べても更に容易に得ることができる。
【００５８】
さらに、請求項９によれば、伸縮性を有する糸を用いることで、必要な伸縮量を得ることができる。
【図面の簡単な説明】
【図１】本発明の一実施形態に係るズボンの右脇のウエスト部分を示す外観図である。
【図２】図１のウエスト部分を伸長した状態を示す外観図である。
【図３】図１のウエスト部分をズボン内側から見た図である。
【図４】図３のウエスト部分が伸長した状態を示す図である。
【図５】本発明の他の実施形態に係るズボンのポケット袋を示す模式図である。
【図６】本発明の更に他の実施形態に係るズボンのポケット袋を示す模式図である。
【図７】従来のズボンのウエスト部分を内側から見た図である。
【図８】図７のウエスト部分が伸長した状態を示す図である。
【符号の説明】
１    ズボン
１０    ズボン本体
１１    前身頃
１２    後見頃
２０    ウエストベルト
２１    前ベルト
２２    後ろベルト
２３    前腰裏布
２４    後ろ腰裏布
２５，３１    弾性帯
３０    ウエスト伸縮構造
３２    袋状部
３３    延長帯
４０    ポケット袋
４１    ポケット入口
４２    身体側の布部材
４３    外側の布部材
Ａ，Ｂ，Ｄ    逢着位置
Ｃ    所定幅
Ｅ    間隔
【図１】
0004511677.tif 000002
【図２】
0004511677.tif 000003
【図３】
0004511677.tif 000004
【図４】
0004511677.tif 000005
【図５】
0004511677.tif 000006
【図６】
0004511677.tif 000007
【図７】
0004511677.tif 000008
【図８】
0004511677.tif 000009